【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
Ｄ−ソルビトール及びその脱水誘導体であるモノアンヒドロソルビトール及びジアンヒドロソルビトールと、Ｄ−マンニトール及びその脱水誘導体であるモノアンヒドロマンニトール及びジアンヒドロマンニトールとの混合物を含み、これらの成分が少なくとも１種のカルボン酸によってエステル化されている、潤滑剤又は作動液としての使用に適した粘度温度挙動、荷重負担能力、低温安定性及び耐酸化老化性を有する組成物。
【請求項２】
カルボン酸が飽和カルボン酸、不飽和カルボン酸、枝分かれカルボン酸、非枝分かれカルボン酸、その誘導体及び／又はその混合物からなる群から選ばれる請求項１に記載の組成物。
【請求項３】
カルボン酸がモノカルボン酸、ジカルボン酸、トリカルボン酸、その誘導体又はその混合物である請求項２に記載の組成物。
【請求項４】
モノカルボン酸がＣ２−Ｃ２４カルボン酸である請求項２又は３に記載の組成物。
【請求項５】
モノカルボン酸がＣ４−Ｃ１８カルボン酸である請求項２〜４のいずれか１項に記載の組成物。
【請求項６】
モノカルボン酸が酢酸、酪酸、イソブタン酸、吉草酸、イソ吉草酸、カプロン酸、エナント酸、カプリル酸、２−エチルカプロン酸、ペラルゴン酸、カプリン酸、ラウリン酸、ミリスチン酸、ミリストレイン酸、パルミチン酸、パルミトレイン酸、ステアリン酸、オレイン酸、エライジン酸、リシノール酸、リノール酸、リノレン酸、エレオステアリン酸、アラキジン酸、ベヘン酸又はエルカ酸である請求項２〜５のいずれか１項に記載の組成物。
【請求項７】
カルボン酸誘導体が無水物、混合無水物、アルキルエステル又は特にカルボン酸塩化物である請求項２〜６のいずれか１項に記載の組成物。
【請求項８】
カルボン酸誘導体がジ又はトリカルボン酸と脂肪アルコールのエステルである請求項７に記載の組成物。
【請求項９】
カルボン酸誘導体が、骨格内又は幾何位置のシス／トランス異性体のような異性体である請求項２〜６のいずれか１項に記載の組成物。
【請求項１０】
Ｄ−ソルビトール、Ｄ−マンニトール及びその環式誘導体の各々少なくとも２つの水酸基がエステル化されている請求項１〜９のいずれか１項に記載の組成物。
【請求項１１】
Ｄ−ソルビトール、Ｄ−マンニトール及びその環式誘導体のすべての遊離水酸基がエステル化されている請求項１０に記載の組成物。
【請求項１２】
エステル化されたＤ−ソルビトール誘導体の全組成物に対する割合が９５％〜５％であり、エステル化されたＤ−マンニトール誘導体の全組成物に対する割合が５％〜９５％である請求項１〜１１のいずれか１項に記載の組成物。
【請求項１３】
エステル化されたＤ−ソルビトール誘導体の全組成物に対する割合が９２％〜５０％であり、エステル化されたＤ−マンニトール誘導体の全組成物に対する割合が８％〜５０％である請求項１２に記載の組成物。
【請求項１４】
エステル化されたＤ−ソルビトール誘導体の全組成物に対する割合が９０％〜７０％であり、Ｄ−マンニトール誘導体の全組成物に対する割合が１０％〜３０％である請求項１２又は１３に記載の組成物。
【請求項１５】
Ｄ−ソルビトール、Ｄ−マンニトール及びその環式誘導体を含み、これらの成分が少なくとも１種のカルボン酸でエステル化されている混合物が、少なくとも１種のカルボン酸、カルボン酸誘導体又はその混合物でエステル化された少なくとも１種の別の炭水化物、ポリオール、その誘導体又はその混合物をさらに含む請求項１〜１４のいずれか１項に記載の組成物。
【請求項１６】
炭水化物及び／又はポリオールが、グルコース、フルクトース、マンノース、アラビノース、キシロース、ソルボース又はガラクトースのような単糖、スクロース、トレハロース、マルトース、ラクトース、イソマルツロース又はトレハルロースのような二糖、ラフィノースのような三糖、エリスリトール、キシリトール、ソルビトール、マンニトール、マルチトール、ラクチトール、アラビトール、６−Ｏ−α−Ｄ−グルコピラノシル−Ｄ−ソルビトール（１，６−ＧＰＳ）、１−Ｏ−α−Ｄ−グルコピラノシル−Ｄ−ソルビトール（１，１−ＧＰＳ）又は１−Ｏ−α−Ｄ−グルコピラノシル−Ｄ−マンニトール（１，１−ＧＰＭ）のような糖アルコール、デンプン加水分解物、フルクトオリゴ糖、その水素化生成物、又は１，６−ＧＰＳと１，１−ＧＰＭの混合物であるイソマルトのようなそれらの混合物からなる群から選ばれる請求項１５に記載の組成物。
【請求項１７】
その他のエステル化炭水化物及び／又はポリオール成分の全組成物に対する割合が０．５％〜５０％である請求項１５又は１６に記載の組成物。
【請求項１８】
その他のエステル化炭水化物及び／又はポリオール成分の全組成物に対する割合が５〜３０％である請求項１７に記載の組成物。
【請求項１９】
Ｄ−ソルビトール、Ｄ−マンニトール及びその環式誘導体の混合物を含み、これらの成分が少なくとも１種のカルボン酸でエステル化されている組成物の製造方法であって、
ａ）Ｄ−ソルビトール及びＤ−マンニトールを脱水により環化して、Ｄ−ソルビトール、Ｄ−マンニトール、モノアンヒドロヘキシトール及びジアンヒドロヘキシトールの混合物を得る工程、及び
ｂ）様々な程度に脱水されたヘキシトールを、少なくとも１種のカルボン酸、少なくとも１種のその誘導体又はその混合物で部分的又は完全にエステル化する工程、又は
ｃ）少なくとも１種の触媒を用いてワンポット反応として方法を実施する工程
を含む方法。
【請求項２０】
エステル化のために使用するカルボン酸が飽和カルボン酸、不飽和カルボン酸、枝分かれカルボン酸、非枝分かれカルボン酸、その誘導体及びその混合物からなる群から選ばれる請求項１９に記載の方法。
【請求項２１】
エステル化のために使用するカルボン酸がモノカルボン酸、ジカルボン酸、トリカルボン酸、その誘導体又はその混合物である請求項１９又は２０に記載の方法。
【請求項２２】
カルボン酸が、酢酸、酪酸、イソブタン酸、吉草酸、イソ吉草酸、カプロン酸、エナント酸、カプリル酸、２−エチルカプロン酸、ペラルゴン酸、カプリン酸、ラウリン酸、ミリスチン酸、ミリストレイン酸、パルミチン酸、パルミトレイン酸、ステアリン酸、オレイン酸、エライジン酸、リシノール酸、リノール酸、リノレン酸、エレオステアリン酸、アラキジン酸、ベヘン酸又はエルカ酸のようなＣ２−Ｃ２４−モノカルボン酸である請求項１９〜２１のいずれか１項に記載の方法。
【請求項２３】
エステル化のために、無水物、混合無水物、アルキルエステル、特にカルボン酸塩化物又は骨格内もしくは幾何位置のシス／トランス異性体のような異性体のようなカルボン酸誘導体を使用する請求項１９〜２２のいずれか１項に記載の方法。
【請求項２４】
脂肪アルコールでエステル化したジ又はトリカルボン酸をエステル化のために使用する請求項２３に記載の方法。
【請求項２５】
上記工程をバッチ式又は連続的に行う請求項１９〜２４のいずれか１項に記載の方法。
【請求項２６】
２つの工程を溶媒中で又は溶媒なしで適当な触媒の存在下で行う請求項１９〜２５のいずれか１項に記載の方法。
【請求項２７】
トルエン、ＤＭＳＯ、ピリジン又はＤＭＦのような有機溶媒を使用する請求項２６に記載の方法。
【請求項２８】
触媒として、Ｓｎ、ＴｉもしくはＺｎ／Ｃｕの塩、酸化物もしくはアルキル化物のような遷移金属化合物、ＨＣｌ、Ｈ２ＳＯ４もしくはＨ３ＰＯ４のような無機酸、ｐ−トルエンスルホン酸、メタンスルホン酸もしくはスルホコハク酸のような有機酸、酸性イオン交換体、ナトリウムもしくはカリウムの水酸化物、炭酸塩、メトキシドもしくはエトキシドのようなアルカリ金属塩、ゼオライト又はその混合物を使用する請求項２６又は２７に記載の方法。
【請求項２９】
環化のための触媒としてｐ−トルエンスルホン酸を使用し、エステル化のための触媒としてシュウ酸スズ触媒又はジブチルスズオキシドを使用する請求項２８に記載の方法。
【請求項３０】
環化を温度８０℃〜１９０℃で行う請求項１９又は２５〜２９のいずれか１項に記載の方法。
【請求項３１】
環化を温度１００℃〜１７０℃で行う請求項３０に記載の方法。
【請求項３２】
エステル化を温度１２０℃〜２８０℃で行う請求項１９〜２９のいずれか１項に記載の方法。
【請求項３３】
エステル化を温度１６０℃〜２５０℃で行う請求項３２に記載の方法。
【請求項３４】
２つの工程の際に精留又は共沸精留により水を除去する請求項１９〜３３のいずれか１項に記載の方法。
【請求項３５】
請求項１〜１８のいずれか１項に記載の組成物又は請求項１９〜３４のいずれか１項に記載の方法により製造された組成物の、潤滑剤及び作動液としての、特に内燃機関、自動車及び定置式用途の変速機のような機械式動力伝達装置、ガス圧縮機、冷凍機、タービン及びチェーンソーのようなチェーン装置の潤滑液としての、産業機械の可動部品及び成形品の製造での型及びせき板の潤滑油としての、トラクターその他の移動式作業機械のための汎用油としての、潤滑用グリースとしての、ショックアブソーバー液としての、油圧式動力伝達装置及び駆動装置、金属材料の焼入れ、非切削金属成形、浸液式の切削金属加工、最少量潤滑による切削金属加工のための液としての、防食液としての、変圧器のような電気部品の絶縁油としての、ならびに熱伝達油としての使用。